(57)【要約】【課題】２つのＳＤカードをそれぞれ操作するために２つの個別のホストコントローラが必要であり、従ってコストが増加するということである。【解決手段】一実施形態では、電子デバイスが、ホストコントローラと、第１のメモリカードおよび第２のソケットを受け入れるための、ホストコントローラと通信する第１のソケットと、第２のメモリカードを受け入れるための、ホストコントローラと通信する第２のソケットとを含んでいる。第２のソケットの物理的ピン配列は、第１のソケットの物理的ピン配列とは逆順になっている。ホストコントローラは、第１の時間帯には第１のメモリカードに電力を送って第２のメモリカードへの電力供給を断ち、第２の時間帯には第１のメモリカードへの電力供給を断って第２のメモリカードに電力を送る。第１のソケットと第２のソケットとは、同一の一組のデータ信号を送受信する。【選択図】図２
2013025786.tif 000002
【特許請求の範囲】
【請求項１】
電子デバイスであって、
ホストコントローラと、
第１のメモリカードを受け入れるための、前記ホストコントローラと通信する第１のソケットであって、物理的ピン配列を有する第１のソケットと、
第２のメモリカードを受け入れるための、前記ホストコントローラと通信する第２のソケットであって、物理的ピン配列を有する第２のソケットとを備え、
前記第２のソケットの前記物理的ピン配列は前記第１のソケットの前記物理的ピン配列とは逆順になっており、
前記ホストコントローラは、第１の時間帯には前記第１のメモリカードに電力を送って前記第２のメモリカードへの電力供給を断ち、第２の時間帯には前記第１のメモリカードへの電力供給を断って前記第２のメモリカードに電力を送り、かつ、
前記第１のソケットと前記第２のソケットとは、同一の一組のデータ信号を送受信することを特徴とする電子デバイス。
【請求項２】
電源と前記第１のメモリカードとの間、および、前記電源と前記第２のメモリカードとの間に接続された電源スイッチをさらに備え、前記電源スイッチが、前記第１の時間帯には前記電源と前記第１のメモリカードとを接続して前記電源と前記第２のメモリカードとの接続を断ち、かつ、前記第２の時間帯には前記電源と前記第２のメモリカードとを接続して前記電源と前記第１のメモリカードとの接続を断つことを特徴とする請求項１に記載の電子デバイス。
【請求項３】
前記電源スイッチが前記ホストコントローラの中にあることを特徴とする請求項２に記載の電子デバイス。
【請求項４】
第１の状態と第２の状態とを有する選択信号を生成するための選択ユニットをさらに備え、
前記選択信号が前記第１の状態にある場合に前記第１のメモリカードが前記ホストコントローラによって電力供給されるように選択され、かつ、前記選択信号が前記第２の状態にある場合に前記第２のメモリカードが前記ホストコントローラによって電力供給されるように選択されることを特徴とする請求項１に記載の電子デバイス。
【請求項５】
前記ホストコントローラとノードとの間に接続されたデータバスをさらに備え、
前記第１のメモリカードと前記第２のメモリカードとが前記ノードに接続され、かつ、第１の時間帯にはデータが前記ホストコントローラと前記第１のメモリカードとの間で前記ノードを経由して送信され、前記第２の時間帯にはデータが前記ホストコントローラと前記第２のメモリカードとの間で前記ノードを経由して送信されることを特徴とする請求項１に記載の電子デバイス。
【請求項６】
前記ホストコントローラと前記第１のメモリカードとの間に接続され、第１の時間帯には前記第１のメモリカードに電力を送るための第１の電力線と、
前記ホストコントローラと前記第２のメモリカードとの間に接続され、第２の時間帯には前記第２のメモリカードに電力を送るための第２の電力線と、
前記ホストコントローラと前記第１のメモリカードとの間に接続され、かつ、前記ホストコントローラと前記第２のメモリカードとの間に接続されたデータバスとをさらに備え、
第１の時間帯にはデータが前記ホストコントローラと前記第１のメモリカードとの間で前記データバスを経由して送信され、前記第２の時間帯にはデータが前記ホストコントローラと前記第２のメモリカードとの間で前記データバスを経由して送信されることを特徴とする請求項１に記載の電子デバイス。
【請求項７】
前記第１のソケットおよび前記第２のソケットがプリント基板（ＰＣＢ）の異なる面上に取り付けられていることを特徴とする請求項１に記載の電子デバイス。
【請求項８】
前記第１のメモリカードおよび前記第２のメモリカードがセキュアデジタルカードであることを特徴とする請求項１に記載の電子デバイス。
【請求項９】
電子デバイスであって、
ホストコントローラと、
第１のメモリカードを受け入れるための、前記ホストコントローラと通信する第１のソケットであって、物理的ピン配列を有する第１のソケットと、
第２のメモリカードを受け入れるための、前記ホストコントローラと通信する第２のソケットであって、物理的ピン配列を有する第２のソケットとを備え、
前記第２のソケットの前記物理的ピン配列は前記第１のソケットの前記物理的ピン配列とは逆順になっており、
前記ホストコントローラが、
前記第１のメモリカードに電力供給するための第１の電力端子と、
前記第２のメモリカードに電力供給するための第２の電力端子と、
前記第１の電力端子および前記第２の電力端子に接続され、前記第１のメモリカードと前記第２のメモリカードとのうちの１つのメモリカードに電力を選択的に供給するための電源スイッチと
を備え、
第１の時間帯には前記ホストコントローラが前記第１のメモリカードに電力を送って前記第２のメモリカードへの電力供給を断ち、第２の時間帯には前記ホストコントローラが前記第２のメモリカードに電力を送って前記第１のメモリカードへの電力供給を断ち、かつ、
前記第１のソケットと前記第２のソケットとは、同一の一組のデータ信号を送受信することを特徴とする電子デバイス。
【請求項１０】
前記電源スイッチが前記ホストコントローラの中にあることを特徴とする請求項９に記載の電子デバイス。
【請求項１１】
前記電源スイッチを制御する選択信号を生成するための選択ユニットをさらに備えた請求項９に記載の電子デバイス。
【請求項１２】
前記ホストコントローラとノードとの間に接続され、前記ホストコントローラと前記第１のメモリカードとの間で前記ノードを経由してデータを送信し、前記ホストコントローラと前記第２のメモリカードとの間で前記ノードを経由してデータを送信するためのデータバス
をさらに備え、
前記第１のメモリカードと前記第２のメモリカードとが前記ノードに接続されていることを特徴とする請求項９に記載の電子デバイス。
【請求項１３】
前記第１のソケットおよび前記第２のソケットがプリント基板（ＰＣＢ）の異なる面上に取り付けられていることを特徴とする請求項９に記載の電子デバイス。
【請求項１４】
前記第１のメモリカードおよび前記第２のメモリカードがセキュアデジタルカードであることを特徴とする請求項９に記載の電子デバイス。
【請求項１５】
電子デバイスを操作する方法であって、
電源と複数のメモリデバイスとの間に接続された電源スイッチを制御するステップと、
前記電源スイッチが前記電源と第１のメモリデバイスとの間に接続されている場合に前記電源を前記第１のメモリデバイスに接続するステップと、
前記電源スイッチが前記電源と第２のメモリデバイスとの間に接続されている場合に前記電源を前記第２のメモリデバイスに接続するステップと、
前記第１のメモリデバイスに電力供給して前記第２のメモリカードへの電力供給を断つステップと、
前記第２のメモリデバイスに電力供給して前記第１のメモリカードへの電力供給を断つステップと
を含む方法。
【請求項１６】
第１の状態と第２の状態とを有する選択信号を生成するステップと、
前記選択信号が前記第１の状態にある場合に前記第１のメモリカードに電力供給して前記第２のメモリカードへの電力供給を断つステップと、
前記選択信号が前記第２の状態にある場合に前記第２のメモリカードに電力供給して前記第１のメモリカードへの電力供給を断つステップと
をさらに含む請求項１５に記載の方法。
【請求項１７】
２つのメモリデバイス間のシームレスな移行のための方法であって、
選択ユニットによって第１のメモリデバイスを選択するステップと、
電源によって前記第１のメモリデバイスに電源投入するステップと、
第２のメモリデバイスの電源を切るステップと、
前記第２のメモリデバイスの電源が切れている間に前記第１のメモリデバイスにアクセスするステップと、
前記選択ユニットによって前記第２のメモリデバイスを選択するステップと、
前記電源によって前記第２のメモリデバイスに電源投入するステップと、
前記第１のメモリデバイスの電源を切るステップと、
前記第１のメモリデバイスの電源が切れている間に前記第２のメモリデバイスにアクセスするステップと
を含む方法。
【発明の詳細な説明】
【技術分野】
【０００１】
メモリカードは、デジタル情報を記憶するために用いられる電子的フラッシュメモリデータ記憶デバイスである。メモリカードは、例えばデジタルカメラ、携帯電話、ラップトップコンピュータ、ＭＰ３プレーヤ、ビデオゲームコンソールのような多くの電子デバイスにおいて一般的に利用されている。よく使われるタイプのメモリカードとして、ＳＤ（ｓｅｃｕｒｅ  ｄｉｇｉｔａｌ）カードがある。ＳＤカードは、小型かつ軽量であり、携帯用電子デバイスにおけるデータ記憶デバイスとして適している。
【背景技術】
【０００２】
一部の電子デバイスは、２つ以上のメモリカードを使って動作する。例えば、一部の高級デジタルカメラでは、２つのメモリカードが提示されている。一方のメモリカードは、センサからの未処理データを含む生画像ファイルを記憶するのに用いられ、他方のメモリカードは、圧縮されたＪＰＥＧファイルを記憶するのに用いられる。図１は、２つのＳＤカードを操作する従来の電子デバイス１００を示す図である。電子デバイス１００は、第１のＳＤカード１１４を操作するための第１のホストコントローラ１０２と、第２のＳＤカード１１６を操作するための第２のホストコントローラ１０４とを含んでいる。第１のホストコントローラ１０２が、第１の電力線１０６を経由して第１のＳＤカード１１４に電力供給する。第１のデータバス１１０が、第１のホストコントローラ１０４と第１のＳＤカード１１４との間でデータを送信するために、第１のホストコントローラ１０２と第１のＳＤカード１１４との間に接続されている。同様に、第２のホストコントローラ１０４が、第２の電力線１０８を経由して第２のＳＤカード１１６に電力供給する。第２のデータバス１１２が、第２のホストコントローラ１０４と第２のＳＤカード１１６との間でデータを送信するために、第２のホストコントローラ１０４と第２のＳＤカード１１６との間に接続されている。
【発明の概要】
【発明が解決しようとする課題】
【０００３】
この従来の電子デバイス１００の１つの欠点は、２つのＳＤカードをそれぞれ操作するために２つの個別のホストコントローラが必要であり、従ってコストが増加するということである。
【課題を解決するための手段】
【０００４】
本発明による実施形態は、２つのメモリカードを操作するためのデバイスおよび方法を提供する。一実施形態では、電子デバイスが、ホストコントローラと、第１のメモリカードおよび第２のソケットを受け入れるための、ホストコントローラと通信する第１のソケットと、第２のメモリカードを受け入れるための、ホストコントローラと通信する第２のソケットとを含んでいる。第２のソケットの物理的ピン配列は、第１のソケットの物理的ピン配列とは逆順になっている。ホストコントローラは、第１の時間帯には第１のメモリカードに電力を送って第２のメモリカードへの電力供給を断ち、第２の時間帯には第１のメモリカードへの電力供給を断って第２のメモリカードに電力を送る。第１のソケットと第２のソケットとは、同一の一組のデータ信号を送受信する。
【０００５】
別の実施形態では、電子デバイスが、ホストコントローラと、第１のメモリカードおよび第２のソケットを受け入れるための、ホストコントローラと通信する第１のソケットと、第２のメモリカードを受け入れるための、ホストコントローラと通信する第２のソケットとを含んでいる。第２のソケットの物理的ピン配列は、第１のソケットの物理的ピン配列とは逆順になっている。ホストコントローラは、第１のメモリカードに電力供給するための第１の電力端子と、第２のメモリカードに電力供給するための第２の電力端子と、第１の電力端子および第２の電力端子に接続されており、かつ、第１のメモリカードと第２のメモリカードとのうち一方のメモリカードに電力を選択的に供給するための電源スイッチとを備えている。第１の時間帯には、ホストコントローラは、第１のメモリカードに電力を送って第２のメモリカードへの電力供給を断つ。第２の時間帯には、ホストコントローラは、第２のメモリカードに電力を送って第１のメモリカードへの電力供給を断つ。第１のソケットと第２のソケットとは、同一の一組のデータ信号を送受信する。
【０００６】
別の実施形態では、電子デバイスを操作するための方法が、第１のメモリデバイスおよび第２のメモリデバイスを含む複数のメモリデバイスと電源との間に接続された電源スイッチを制御するステップと、電源スイッチが電源と第１のメモリデバイスとの間に接続された場合に電源を第１のメモリデバイスに接続するステップと、第１のメモリデバイスに電力供給して第２のメモリカードへの電力供給を断つステップと、電源スイッチが電源と第２のメモリデバイスとの間に接続された場合に電源を第２のメモリデバイスに接続するステップと、第２のメモリデバイスに電力供給して第１のメモリカードへの電力供給を断つステップとを含んでいる。
【０００７】
別の実施形態では、２つのメモリデバイス間のシームレスな移行のための方法が、選択ユニットによって第１のメモリデバイスを選択するステップと、電源によって第１のメモリデバイスに電源投入して第２のメモリデバイスの電源を切るステップと、第２のメモリデバイスの電源が切れている間に第１のメモリデバイスにアクセスするステップと、選択ユニットによって第２のメモリデバイスを選択するステップと、電源によって第２のメモリデバイスに電源投入して第１のメモリデバイスの電源を切るステップと、第１のメモリデバイスの電源が切れている間に第２のメモリデバイスにアクセスするステップとを含んでいる。
【０００８】
下記の詳細記述が進むにつれて、また、図面を参照すれば、請求項に記載された発明の実施形態の特徴および利点が明らかになるであろう。図面中、類似の番号は類似の部分を示す。
【図面の簡単な説明】
【０００９】
【図１】２つのホストコントローラによって２つのメモリカードを操作する従来の電子デバイスを示す図である。
【図２】本発明の一実施形態による、１つのホストコントローラを利用して２つのメモリカードを操作する電子デバイスを示す図である。
【図３】本発明の一実施形態による、図２の第１のメモリカードを受け入れるための第１のメモリカードソケットと、図２の第２のメモリカードを受け入れるための第２のメモリカードソケットとを示す図である。
【図４Ａ】本発明の一実施形態による、第１のメモリカードソケットおよび第２のメモリカードソケットがＰＣＢ上に取り付けられた場合の図３における第１のメモリカードソケットおよび第２のメモリカードソケットの位置を示す図である。
【図４Ｂ】第１のメモリカードソケットおよび第２のメモリカードソケットがＰＣＢ上に取り付けられた場合のホストコントローラから第１のメモリカードソケットおよび第２のメモリカードソケットへの信号経路を示す図である。
【図５】本発明の一実施形態による、２つのメモリカードを含む電子デバイスを操作するための方法を示す図である。
【発明を実施するための形態】
【００１０】
以下、本発明の実施形態について、詳細に説明する。本発明について、これらの実施形態に関連して記述するが、本発明をこれらの実施形態に限定する意図はないことは理解されるであろう。逆に、本発明は、代替形態、修正形態、同等形態もカバーすることが意図されており、それらは、添付の請求項によって定義される本発明の精神と範囲とに含まれうる。
【００１１】
さらに、下記の本発明の詳細記述において、本発明の完全な理解を提供することを目的として数々の特定の詳細が述べられている。しかし、当業者であれば、これらの特定の詳細がなくても本発明が実施されうることは理解するであろう。他の例では、周知の方法、手順、コンポーネント、および回路は、本発明の態様を不要に分かりにくくしないようにするため、詳細には記述していない。
【００１２】
図２は、本発明の一実施形態による、１つのホストコントローラを利用して２つのメモリカードを操作する電子デバイス２００を示す図である。図２の例では、電子デバイス２００は、第１のメモリカード（例えば第１のＳＤカード２１６）および第２のメモリカード（例えば第２のＳＤカード２１８）と通信するホストコントローラ２０２を含んでいる。また、電子デバイス２００は、電源２０４と第１のＳＤカードとの間に接続され、かつ、電源２０４と第２のＳＤカード２１８との間に接続された電源スイッチ２０６も含んでいる。電源スイッチ２０６は、電源を第１のＳＤカード２１６または第２のＳＤカード２１８に選択的に接続する。図２の例では、電源スイッチ２０６はホストコントローラ２０２と一体化されている。代わりに、電源スイッチ２０６は、ホストコントローラ２０２の外側に配置されてもよい。ホストコントローラ２０２はさらに、電源スイッチ２０６を制御する選択信号２１０を生成し、従って、ホストコントローラが第１のＳＤカード２１６または第２のＳＤカード２１８を選択的に操作することを可能にする選択ユニット２０８を含んでいる。選択信号２１０は、第１の状態と第２の状態とを有する。ホストコントローラ２０２は、第１のＳＤカード２１６に電力を供給するための第１の電力端子ＰＷ１と、第２のＳＤカード２１８に電力を供給するための第２の電力端子ＰＷ２とを含んでいる。第１の電力線２１２が、第１の電力端子ＰＷ１と第１のＳＤカード２１６との間に接続されている。第２の電力線２１４が、第２の電力端子ＰＷ２と第２のＳＤカード２１８との間に接続されている。データバス２２０が、ホストコントローラ２０２と第１のＳＤカード２１６との間に接続され、かつ、ホストコントローラ２０２と第２のＳＤカード２１８との間にも接続されている。詳細には、データバス２２０は、ホストコントローラ２０２とノード２３０との間に接続されている。第１のＳＤカード２１６と第２のＳＤカード２１８とはいずれもノード２３０に接続されている。
【００１３】
操作の際には、選択信号２１０が第１の状態にある場合、電源スイッチは電源２０４を第１のＳＤカード２１６に接続し、電源２０４と第２のＳＤカード２１８との接続を断つ。従って、選択信号２１０が第１の状態にある第１の時間帯には、電力は、電源２０４から第１の電力端子ＰＷ１と第１の電力線２１２とを経由して第１のＳＤカード２１６に供給される。第１の時間帯には、データは、ホストコントローラ２０２と第１のＳＤカード２１６との間でデータバス２２０とノード２３０とを経由して送信される。選択信号２１０が第２の状態にある場合、電源スイッチ２０６は電源２０４を第２のＳＤカード２１８に接続し、電源２０４と第１のＳＤカード２１６との接続を断つ。従って、選択信号２１０が第２の状態にある第２の時間帯には、電力は、電源２０４から第２の電力端子ＰＷ２と第２の電力線２１４とを経由して第２のＳＤカード２１８に供給される。第２の時間帯には、データは、ホストコントローラ２０２と第２のＳＤカード２１８との間でデータバス２２０とノード２３０とを経由して送信される。
【００１４】
上記のように、本発明に従って、電子デバイスが、第１のメモリデバイスを（例えば選択ユニットによって）選択し、電源によって第１のメモリデバイスに電源投入し、第２のメモリデバイスの電源を切る。電子デバイスは、第２のメモリデバイスの電源が切れている間に第１のメモリデバイスにアクセスする。次いで電子デバイスは、第２のメモリデバイスを選択し、第２のメモリデバイスに電源投入し、第１のメモリデバイスの電源を切る。電子デバイスは、第１のメモリデバイスの電源が切れている間に第２のメモリデバイスにアクセスする。従って、電子デバイスは、２つのメモリデバイス間でシームレスに移行することができる。
【００１５】
図３は、本発明の一実施形態による、第１のメモリカードソケット、例えば、図２の第１のＳＤカード２１６を受け入れるためのＳＤカードソケット３０１と、第２のメモリカードソケット、例えば、図２の第２のＳＤカード２１８を受け入れるためのＳＤカードソケット３０２とを示す図である。第１のＳＤカードソケット３０１は、電力線２１２とデータバス２２０とを第１のＳＤカード２１６に接続するための複数のピンＰＩＮ＿１、ＰＩＮ＿２、ＰＩＮ＿３．．．ＰＩＮ＿Ｎを含んでいる。第２のＳＤカードソケット３０２は、電力線２１４とデータバス２２０とを第２のＳＤカード２１８に接続するための複数のピンＰＩＮ＿１、ＰＩＮ＿２、ＰＩＮ＿３．．．ＰＩＮ＿Ｎを含んでいる。図３に示すように、第２のＳＤカードソケット３０２の物理的ピン配列は、第１のソケット３０１の物理的ピン配列とは逆順になっている。第１のＳＤカードソケット３０１と第２のＳＤカードソケット３０２とは、データバス２２０を経由して同一の一組のデータ信号を送受信する。
【００１６】
図４Ａは、本発明の一実施形態による、第１のＳＤカードソケット３０１および第２のＳＤカードソケット３０２がＰＣＢ（ｐｒｉｎｔｅｄ−ｃｉｒｃｕｉｔ  ｂｏａｒｄ：プリント基板）上に取り付けられた場合の図４の第１のＳＤカードソケット３０１および第２のＳＤカードソケット３０２の位置を示す図である。第１のＳＤカードソケット３０１はＰＣＢ４０２の一方の面に取り付けられ、第２のＳＤカードソケット３０２は、ＰＣＢ４０２の他方の面に取り付けられている。このような配置によって、同じ番号を付けられたピンが、ＰＣＢ４０２の異なる面に位置した状態で、相互に近接している。例えば、第１のＳＤカードソケット３０１のピンＰＩＮ＿１と第２のＳＤカードソケット３０２のピンＰＩＮ＿１とは、相互に近接している。対照的に、同じピン配列を持つ２つの従来のＳＤカードソケットがＰＣＢの異なる面に取り付けられた場合、第１のＳＤカードソケットのピンＰＩＮ＿１は、第２のＳＤカードソケットのピンＰＩＮ＿Ｎと近接し、第２のＳＤカードソケットのピンＰＩＮ＿１とは離れる。
【００１７】
図４Ｂは、第１のＳＤカードソケット３０１および第２のＳＤカードソケット３０２がＰＣＢ上に取り付けられた場合のホストコントローラ２０２から第１のＳＤカードソケット３０１および第２のＳＤカードソケット３０２への信号経路を示す図である。ホストコントローラ２０２から第１のＳＤカードソケット３０１および第２のＳＤカードソケット３０２への信号が、分岐ポイント２３０＿１で分かれると仮定する。分岐ポイント２３０＿１から第１のＳＤカードソケット３０１のピンＰＩＮ＿１までの長さは、Ｌ１である。分岐ポイント２３０＿１から第２のＳＤカードソケット３０２のピンＰＩＮ＿１までの長さは、Ｌ２である。分岐ポイント２３０＿１から第２のＳＤカードソケット３０２のピンＰＩＮ＿Ｎまでの長さは、Ｌ３である。ＰＣＢ上の信号の通信速度はＶである。
【００１８】
第１のＳＤカードソケット３０１の中の第１のＳＤカードが、電力供給されるように選択される場合、第１のＳＤカードソケット３０１のピンＰＩＮ＿１における信号は、合成波形を有する。原波形は、ホストコントローラ２０２から第１のＳＤカードソケット３０１のピンＰＩＮ＿１に直接送信される。また、原波形は、第２のＳＤカードソケット３０２のピンＰＩＮ＿１にも送信され、第２のＳＤカードソケット３０２のピンＰＩＮ＿１で反射されて、反射波形を生じる。反射波形は、第１のＳＤカードソケット３０１のピンＰＩＮ＿１で原波形と重なり合って、合成波形を生じる。第１のＳＤカードソケット３０１のピンＰＩＮ＿１に到達する原波形と、第１のＳＤカードソケット３０１のピンＰＩＮ＿１に到達する反射波形との時間差によって、第１のＳＤカードソケット３０１のピンＰＩＮ＿１で信号ひずみが生じる可能性がある。
【００１９】
２つの従来のＳＤカードソケットが採用された場合、ＰＣＢの下部に取り付けられた従来のＳＤカードソケット４０４のピンＰＩＮ＿１は、図４Ｂに示す第２のＳＤカードソケット３０２のピンＰＩＮ＿Ｎの位置になるであろうが、それは、第１のＳＤカードソケット３０１のピンＰＩＮ＿１から遠い。原波形が分岐ポイント２３０＿１から第１のＳＤカードソケット３０１のピンＰＩＮ＿１まで伝わるのにかかる時間は、Ｌ１／Ｖである。反射波形が分岐ポイント２３０＿１から第１のＳＤカードソケット３０１のピンＰＩＮ＿１まで伝わるのにかかる時間は、（２*Ｌ３＋Ｌ１）／Ｖである。原波形と反射波形との時間差は、２*Ｌ３／Ｖである。
【００２０】
対照的に、本発明は、ＰＣＢ４０２の上部に取り付けられ、従来の順序のピンを持つ第１のＳＤカードソケット３０１と、ＰＣＢ４０２の下部に取り付けられ、逆順のピンを持つ第２のＳＤカードソケットとを採用している。原波形が分岐ポイント２３０＿１から第１のＳＤカードソケット３０１のピンＰＩＮ＿１まで伝わるのにかかる時間は、Ｌ１／Ｖである。反射波形が分岐ポイント２３０＿１から第１のＳＤカードソケット３０１のピンＰＩＮ＿１まで伝わるのにかかる時間は、（２*Ｌ２＋Ｌ１）／Ｖである。原波形と反射波形との時間差は、２*Ｌ２／Ｖである。図４Ｂから分かるように、Ｌ２はＬ３より短い。従って、従来のピン配列を持つ第１のＳＤカードソケット３０１と、逆順のピン配列を持つ第２のＳＤカードソケット３０２とを採用することによって、原波形と反射波形との時間差は減少し、それゆえに、第１のＳＤカードソケット３０１のピンＰＩＮ＿１における信号品質が改善される。
【００２１】
図５は、本発明の一実施形態による、第１のメモリカードおよび第２のメモリカード（例えば、第１のＳＤカード２１６および第２のＳＤカード２１８）を含む電子デバイスを操作する方法５００を示す図である。図５は、図２と組み合わせて記述する。
【００２２】
電子デバイスは、システムソフトウェアに従って１つのＳＤカードを選択する。一実施形態では、電子デバイスは、第１のＳＤカードの中に第１のタイプのデータ（例えば生画像ファイル）を記憶し、第２のＳＤカードの中に第２のタイプのデータ（例えばＪＰＥＧファイル）を記憶するようにプログラムされる。あるいは、電子デバイスは、第１のＳＤカードが満杯になるまで第１のＳＤカードの中にデータを記憶し、次いで、第２のＳＤカードの中にデータを記憶するようにプログラムされてもよい。ブロック５０２では、電子デバイスが第１のＳＤカード２１６を操作する必要がある場合、電子デバイスは、第１のＳＤカード２１６に電力供給し、第２のＳＤカード２１８への電力供給を断つ。詳細には、第１の時間帯に、電子デバイスは、電源２０４と第１のＳＤカード２１６とを接続し、かつ、電源２０４と第２のＳＤカード２１８との接続を断つように電源スイッチ２０６を制御する。
【００２３】
ブロック５０４では、電子デバイスは、第１のＳＤカード２１６の中にデータを記憶する。データは、ホストコントローラ、例えば図２のホストコントローラ２０２または図３のホストコントローラ３０２からデータバス２２０を経由して第１のＳＤカード２１６へと送信される。第２のＳＤカード２１８は電源との接続を断たれているため、第２のＳＤカード２１８はデータを受け取ることはなく、従って操作に影響を及ぼさない。
【００２４】
ブロック５０６では、電子デバイスは、第１のＳＤカード２１６への電力供給を断ち、第２のＳＤカード２１８に電力供給する。詳細には、第２の時間帯に、電子デバイスは、電源２０４と第２のＳＤカード２１８とを接続し、かつ、電源２０４と第１のＳＤカード２１６との接続を断つように電源スイッチ２０６を制御する。
【００２５】
ブロック５０８では、電子デバイスは、第２のＳＤカード２１８の中にデータを記憶する。データは、ホストコントローラからデータバス２２０を経由して第２のＳＤカード２１８へと送信される。第１のＳＤカード２１６は電源との接続を断たれているため、第１のＳＤカード２１６はデータを受け取ることはなく、従って操作に影響を及ぼさない。
【００２６】
従って、本発明による実施形態は、第１のメモリカードおよび第２のメモリカードを操作するためのデバイスおよび方法を提供する。有利には、本発明による電子デバイスは、２つのメモリカードのうちの１つのメモリカードに選択的に電力供給した上で、電力供給されたメモリカードを操作する。２つのメモリカードは、ホストコントローラとデータバスとを共有する。ホストコントローラは、電源と第１のメモリカードとの間、および、電源と第２のメモリカードとの間に接続された電源スイッチを制御することによって、操作すべき１つのメモリカードを選択する。電源スイッチは、電源を、第１のメモリカードまたは第２のメモリカードに選択的に接続する。有利には、２つのメモリカードを制御するのに必要なのは１つのホストコントローラだけであり、従ってコストは削減される。本発明によるホストコントローラは、一時に複数のＳＤカードにアクセスするのではないため、データ／クロックの隔離を達成するための追加のバッファまたは他のデバイスをなくすことができる。従って、コストが削減される。
【００２７】
さらに、本発明は、従来のＳＤカードソケットの物理的ピン配列とは逆順の物理的ピン配列を持つＳＤカードソケットを提供する。従来のＳＤカードソケットと、逆順のピン配列を持つＳＤカードソケットとを用いることによって、反射波形の信号経路が減少する。結果として、信号反射に起因する信号ひずみが削減され、従って、信号品質が改善される。
【００２８】
また本発明は、２つのＳＤカード間のシームレスな移行を提供する。本発明が備わったデバイスについては、２つのＳＤカードソケットに２つのＳＤカードを同時に挿入することができるが、一時にシステムによって認識されるのは１つのＳＤカードだけである。デバイスがデータを第１のＳＤカードの中に記憶している最中に第１のＳＤカードの記憶限界に達した場合、第１のＳＤカードを取り外して第２のＳＤカードを挿入することを必要とせず、デバイスは即座に第２のＳＤカードに切り換えて、データを第２のＳＤカードの中に記憶し続けることができる。このようにして、１つのＳＤカードだけが一時に電力供給されるが、システムは両方のＳＤカードにアクセスできる。
【００２９】
本発明の例では、メモリカードはＳＤカードである。しかし、他の実施形態では、メモリカードは、例えばCompactflash（登録商標）カード、ＭｅｍｏｒｙＳｔｉｃｋ、ｘＤ−Ｐｉｃｔｕｒｅカードのような、別のタイプのメモリ記憶デバイスであってもよい。
【００３０】
前述の記述および図面は本発明の実施形態を表すものだが、各種の付加形態、修正形態、代替形態が、添付の請求項の中で定義される本発明の原理の精神と範囲とから逸脱することなく本発明の中で行われうることは理解されるであろう。特定の環境や動作要件に具体的に適合された、本発明の実施において用いられる形態、構造、装置、割合、材料、要素、コンポ―ネント、その他の多くの修正と共に、本発明の原理から逸脱することなく本発明が用いられうることを、当業者であれば理解するであろう。従って、本開示による実施形態は、あらゆる点で例示的であって限定的ではないと考えられるべきであり、本発明の範囲は、添付の請求項およびそれらの法的均等物によって示されており、前述の記述に限定されない。
【符号の説明】
【００３１】
１００、２００  電子デバイス
１０２、１０４、２０２  ホストコントローラ
１０６、１０８  電力線
１１０、１１２，２２０  データバス
１１４、１１６、２１６，２１８  ＳＤカード
２０４  電源
２０６  電源スイッチ
２０８  選択ユニット
２１０  選択信号
２１２、２１４  電力線
２３０  ノード
２３０＿１  分岐ポイント
３０１、３０２、４０４  ＳＤカードソケット
４０２  ＰＣＢ
５００  方法
ＰＷ１、ＰＷ２  電力端子
【図１】
2013025786.tif 000003
【図２】
2013025786.tif 000004
【図３】
2013025786.tif 000005
【図４Ａ】
2013025786.tif 000006
【図４Ｂ】
2013025786.tif 000007
【図５】
2013025786.tif 000008